(57)【要約】  【課題】  作業担当者の作業状況を確認するためには電話連絡が必要である。  【解決手段】  作業担当者が所有するＰＨＳ１１を無線接続するＰＢＸ１９と、任意箇所の接点情報を監視する接点監視部１３と、ＭＧＷ１５とを有する接点情報管理システム１であって、ＭＧＷは、設置番号、接点情報内容及び作業担当者のＰＨＳのメッセージ宛先情報を記憶管理する管理データベース３５と、接点監視部による接点情報監視結果を検出すると、接点情報監視結果に対応したメッセージ宛先情報を検索する情報検索部３７と、このメッセージ宛先情報に基づき、同ＰＨＳに対してメッセージを通知する作業メッセージ通知部５１Ａと、作業メッセージに対するＰＨＳからの対応可否を受信する応答情報受信部６２と、この応答情報受信部６２の受信結果に基づき、当該作業に対する対応状況を表示出力する制御部３８とを有している。【選択図】  図２
2005348225.tif 000002
【特許請求の範囲】
【請求項１】
作業担当者が所有する端末を無線接続する通信装置と、任意箇所の接点情報を監視する接点情報監視装置と、前記通信装置及び前記接点情報監視装置と通信接続する管理装置とを有する接点情報管理システムであって、
前記管理装置は、
前記任意箇所を識別する箇所識別情報及び前記接点情報の内容を識別する接点内容識別情報を記憶管理すると共に、これら箇所識別情報及び接点内容識別情報を対応付けて、前記端末を記憶する情報記憶手段と、
前記接点情報監視装置による前記任意箇所の接点情報監視結果に基づき、前記箇所識別情報及び接点内容識別情報を検出し、これら箇所識別情報及び接点内容識別情報に対応した端末を前記情報記憶手段から検索する検索手段と、
この検索手段にて検索した端末に対して、前記接点情報監視結果に関わるメッセージを通知するメッセージ通知手段と、
前記メッセージに対する前記端末からの応答状況を監視する応答状況監視手段と、
この応答状況監視手段の応答状況監視結果に基づき、当該メッセージに対する対応状況を表示出力する制御手段とを有することを特徴とする接点情報管理システム。
【請求項２】
前記情報記憶手段は、
前記接点情報監視結果に関わる箇所識別情報及び接点内容識別情報毎に、前記メッセージに関わる通知側重要度を記憶管理し、
前記検索手段は、
前記接点情報監視結果を複数検出すると、各接点情報監視結果に関わる箇所識別情報及び接点内容識別情報に対応した、前記通知側重要度を前記情報記憶手段から夫々検索し、これら通知側重要度を比較する通知重要度比較手段を有し、
前記メッセージ通知手段は、
前記通知重要度比較手段の比較結果に基づき、前記通知側重要度の高い接点情報監視結果に関わるメッセージから順次通知するようにしたことを特徴とする請求項１記載の接点情報管理システム。
【請求項３】
前記情報記憶手段は、
前記端末毎に、前記メッセージに関わる受信側重要度を記憶管理し、
前記検索手段は、
前記接点情報監視結果に基づき、前記箇所識別情報及び前記接点内容識別情報を検出し、これら箇所識別情報及び接点内容識別情報に対応した前記通知側重要度、前記端末及び前記受信側重要度を前記情報記憶手段から夫々検索し、これら検索した端末毎に、同通知側重要度及び受信側重要度を比較する受信重要度比較手段を有し、
前記メッセージ通知手段は、
前記受信重要度比較手段の比較結果に基づき、前記端末へのメッセージ通知動作を制御することを特徴とする請求項２記載の接点情報管理システム。
【請求項４】
前記メッセージ通知手段は、
前記受信重要度比較手段にて前記通知側重要度が前記受信側重要度よりも低いとの比較結果を得ると、前記端末に対して前記メッセージ通知動作を禁止することを特徴とする請求項３記載の接点情報管理システム。
【請求項５】
前記メッセージ通知手段は、
前記端末に対して前記メッセージを通知するメッセージ通知機能を複数有し、
前記情報記憶手段は、
前記端末毎に、前記メッセージ通知機能を使用するメッセージ通知方式を記憶管理し、
前記メッセージ通知手段は、
前記検索手段にて前記端末に対応した前記メッセージ通知方式を検索すると、このメッセージ通知方式に対応したメッセージ通知機能で、前記端末に対する前記メッセージを通知することを特徴とする請求項１，２、３又は４記載の接点情報管理システム。
【請求項６】
前記管理装置は、
前記情報記憶手段に記憶中の前記箇所識別情報、前記接点内容識別情報、前記端末に関わる情報を設定変更可能とすることを特徴とする請求項１、２、３、４又は５記載の接点情報管理システム。
【請求項７】
前記通信装置は、
構内交換機で構成したことを特徴とする請求項１、２、３、４、５又は６記載の接点情報管理システム。
【発明の詳細な説明】
【技術分野】
【０００１】
本発明は、例えば工場施設内の任意箇所に配置される、例えばドア圧力センサ等の接点情報を監視する接点情報監視装置と、作業担当者、例えばドアセンサの保守担当者の端末、例えばブラウジング表示機能を備えたＰＨＳ端末等の無線端末を無線接続する、例えば構内交換機等の通信装置と、この通信装置及び接点情報監視装置と通信接続する管理装置とを有し、この管理装置は、接点情報監視装置の監視結果に基づき、同監視結果に関わる作業担当者の端末に同監視結果に関わるメッセージを通知すると共に、同担当者のメッセージに対する対応状況を表示出力する機能を備えた接点情報管理システムに関する。
【背景技術】
【０００２】
従来、このような接点情報管理システムとしては、例えばプラント施設内での故障が発生した場合、作業指示者側のシステムコントローラで作業担当者のＰＨＳ端末（無線端末）に対して故障修理等の作業指示の文字メッセージを通知すると共に、同作業担当者が作業を完了すると、同作業担当者のＰＨＳ端末から作業完了報告をシステムコントローラに通知するようにしたものである(例えば特許文献１参照)。
【０００３】
このような特許文献１によれば、作業指示者のシステムコントローラから文字メッセージで作業指示を作業担当者のＰＨＳ端末に通知するようにしたので、作業担当者のＰＨＳ端末が通話中であっても文字メッセージを見ることができるため、その文字メッセージを目視することで作業指示を作業担当者に通知することができる。
【０００４】
さらに、特許文献１によれば、作業担当者にて作業が完了すると、同担当者のＰＨＳ端末から作業完了報告をシステムコントローラに通知するようにしたので、作業指示者は、指示作業が完了したことを認識することができる。
【特許文献１】特開２００３−５１８９４号公報（要約書）
【発明の開示】
【発明が解決しようとする課題】
【０００５】
しかしながら、上記特許文献１によれば、作業指示者のシステムコントローラから作業指示者のＰＨＳ端末に文字メッセージで作業指示を通知するようにしたが、実際に作業を実施する作業担当者が同作業指示に対応できるか否かの意思については何等考慮されておらず、作業指示者側では、作業担当者側の意思を確認するために、あらためて電話連絡で確認する必要がある。
【０００６】
また、上記特許文献１によれば、作業指示者のＰＨＳ端末に文字メッセージで作業指示を通知するようにしたが、接点情報監視結果が複数検出した場合、その接点情報監視結果の重要度に差があったとしても、文字メッセージの配信順序に重要度が考慮されていないのが実情である。
【０００７】
本発明は上記点に鑑みてなされたものであり、その目的とするところは、作業担当者との通話確認を要さなくても、作業担当者の作業対応意思を反映しながら、作業指示者側(作業管理者側)で、接点情報に関わる作業担当者のメッセージに対する対応状況を表示画面上で認識することができる接点情報管理システムを提供することにある。
【０００８】
さらに、本発明の目的とするところは、接点情報監視結果を複数検出したとしても、その接点情報監視結果の重要度度合に応じて同接点情報監視結果に関わるメッセージを配信するようにした接点情報管理システムを提供することにある。
【課題を解決するための手段】
【０００９】
上記目的を達成するために本発明の接点情報管理システムは、作業担当者が所有する端末を無線接続する通信装置と、任意箇所の接点情報を監視する接点情報監視装置と、前記通信装置及び前記接点情報監視装置と通信接続する管理装置とを有する接点情報管理システムであって、前記管理装置は、前記任意箇所を識別する箇所識別情報及び前記接点情報の内容を識別する接点内容識別情報を記憶管理すると共に、これら箇所識別情報及び接点内容識別情報を対応付けて、前記端末を記憶する情報記憶手段と、前記接点情報監視装置による前記任意箇所の接点情報監視結果に基づき、前記箇所識別情報及び接点内容識別情報を検出し、これら箇所識別情報及び接点内容識別情報に対応した端末を前記情報記憶手段から検索する検索手段と、この検索手段にて検索した端末に対して、前記接点情報監視結果に関わるメッセージを通知するメッセージ通知手段と、前記メッセージに対する前記端末からの応答状況を監視する応答状況監視手段と、この応答状況監視手段の応答状況監視結果に基づき、当該メッセージに対する対応状況を表示出力する制御手段とを有するようにした。
【００１０】
本発明の接点情報管理システムは、前記情報記憶手段が、前記接点情報監視結果に関わる箇所識別情報及び接点内容識別情報毎に、前記メッセージに関わる通知側重要度を記憶管理し、前記検索手段は、前記接点情報監視結果を複数検出すると、各接点情報監視結果に関わる箇所識別情報及び接点内容識別情報に対応した、前記通知側重要度を前記情報記憶手段から夫々検索し、これら通知側重要度を比較する通知重要度比較手段を有し、前記メッセージ通知手段は、前記通知重要度比較手段の比較結果に基づき、前記通知側重要度の高い接点情報監視結果に関わるメッセージから順次通知するようにした。
【００１１】
本発明の接点情報管理システムは、前記情報記憶手段が、前記端末毎に、前記メッセージに関わる受信側重要度を記憶管理し、前記検索手段は、前記接点情報監視結果に基づき、前記箇所識別情報及び前記接点内容識別情報を検出し、これら箇所識別情報及び接点内容識別情報に対応した前記通知側重要度、前記端末及び前記受信側重要度を前記情報記憶手段から夫々検索し、これら検索した端末毎に、同通知側重要度及び受信側重要度を比較する受信重要度比較手段を有し、前記メッセージ通知手段は、前記受信重要度比較手段の比較結果に基づき、前記端末へのメッセージ通知動作を制御するようにした。
【００１２】
本発明の接点情報管理システムは、前記メッセージ通知手段が、前記受信重要度比較手段にて前記通知側重要度が前記受信側重要度よりも低いとの比較結果を得ると、前記端末に対して前記メッセージ通知動作を禁止するようにした。
【００１３】
本発明の接点情報管理システムは、前記メッセージ通知手段が、前記端末に対して前記メッセージを通知するメッセージ通知機能を複数有し、前記情報記憶手段は、前記端末毎に、前記メッセージ通知機能を使用するメッセージ通知方式を記憶管理し、前記メッセージ通知手段は、前記検索手段にて前記端末に対応した前記メッセージ通知方式を検索すると、このメッセージ通知方式に対応したメッセージ通知機能で、前記端末に対する前記メッセージを通知するようにした。
【００１４】
本発明の接点情報管理システムは、前記管理装置が、前記情報記憶手段に記憶中の前記箇所識別情報、前記接点内容識別情報、前記端末に関わる情報を設定変更可能とするようにした。
【００１５】
本発明の接点情報管理システムは、前記通信装置が、構内交換機で構成するようにした。
【発明の効果】
【００１６】
上記のように構成された本発明の作業管理システムによれば、箇所識別情報及び接点内容識別情報に対応付けて作業担当者が所有する端末を予め記憶しておき、任意箇所の接点情報に関わる接点情報監視結果を検出すると、この接点情報監視結果に基づき箇所識別情報及び接点内容識別情報を検出し、これら箇所識別情報及び接点内容識別情報に対応した端末を検索し、この検索した端末に対して、接点情報監視結果に関わるメッセージを通知すると共に、端末からのメッセージに対する応答状況を監視することで、この監視結果に基づき、同メッセージに対する作業担当者の対応状況を表示出力するようにしたので、管理装置のユーザは、接点情報に関わるメッセージを一方的に作業担当者の端末に通知するばかりでなく、作業担当者との通話確認を要さなくても、そのメッセージに対する応答状況に基づき、作業担当者の意思を反映しながら、各作業担当者の対応状況を表示画面上で認識することができる。
【００１７】
本発明の接点情報管理システムによれば、接点情報監視結果に関わる箇所識別情報及び接点内容識別情報毎に、前記メッセージに関わる通知側重要度を記憶管理しておき、複数の接点情報監視結果が複数検出されたとしても、各接点情報監視結果の通知側重要度を比較し、この比較結果に基づき、前記通知側重要度の高い接点情報監視結果に関わるメッセージから順次通知するようにしたので、接点情報監視結果が複数あったとしても、通知側重要度の高い接点情報監視結果に関わるメッセージを作業担当者に優先的に通知することができる。
【００１８】
本発明の接点情報管理システムによれば、前記通知側重要度の他に、前記端末毎に、前記メッセージに関わる受信側重要度を記憶管理しておき、接点情報監視結果を検出すると、この接点情報監視結果に関わる通知側重要度及び受信側重要度を比較し、この比較結果に基づいて同接点情報監視結果に関わるメッセージの端末への通知動作を制御するようにしたので、接点情報監視結果を検出すると、同接点情報監視結果に関わる端末に対してメッセージを一義的に通知するのではなく、通知側重要度及び受信側重要度の比較結果に応じて、作業担当者へのメッセージの通知を制御することができる。
【００１９】
本発明の接点情報管理システムによれば、前記通知側重要度が前記受信側重要度よりも低いとの比較結果を得ると、同接点情報監視結果に関わる端末に対して同メッセージ通知動作を禁止するようにしたので、同接点情報監視結果を検出すると、同接点情報監視結果に関わる端末に対してメッセージを一義的に通知するのではなく、同メッセージの通知側重要度が受信側重要度よりも低い場合には、作業担当者へのメッセージ通知を禁止することができる。いわば、作業担当者は、重要度の低いメッセージの受信を拒否することができる。
【００２０】
本発明の接点情報管理システムによれば、前記メッセージ通知手段に複数のメッセージ通知機能を持たせると共に、前記端末毎に、前記メッセージ通知機能をしようするメッセージ通知方式を記憶管理しておき、接点情報監視結果を検出すると、例えばショートメッセージサービス方式や電子メール方式等の様々な通知方式で作業担当者にメッセージを通知することができる。
【００２１】
本発明の接点情報管理システムによれば、情報記憶手段に記憶中の箇所識別情報、接点内容識別情報及び端末に関わる情報を管理装置から設定変更可能にしたので、様々な接点情報に対応可能となる。
【発明を実施するための最良の形態】
【００２２】
以下、図面に基づいて本発明の実施の形態を示す接点情報管理システムについて説明する。図１は本実施の形態を示す接点情報管理システム内部の概略構成を示すブロック図である。
【００２３】
図１に示す接点情報管理システム１は、例えば工場施設内の業務を行う作業担当者に付与した、ブラウジング表示機能を備えたＰＨＳ端末等の携帯電話端末(以下、単にＰＨＳと称する)１１と、これらＰＨＳ１１を無線収容接続する基地局(以下、単にＢＳと称する)１２と、任意箇所に配置され、例えばドア圧力センサや水位センサ等の接点情報を監視する接点監視部１３と、例えば保守集中管理室に配置され、作業担当者のサービス作業を指示し管理するパソコン等の操作端末１４と、接点情報管理システム１に関わる様々な情報を記憶管理し、ＰＨＳ１１に作業指示に関するメッセージを送信すると共に、情報を基にしたブラウジング画面を提供するメッセージゲートウェイ(以下、単にＭＧＷと称する)１５と、この工場施設を管理し、接点情報管理システム１全体を制御するホストコンピュータ１６とを有し、接点監視部１３、操作端末１４、ＭＧＷ１５及びホストコンピュータ１６はＬＡＮ１７に接続しているものとする。
【００２４】
接点監視部１３は、任意箇所毎に配置されたセンサの接点情報を監視するものであり、例えば１階の１０５号室の出入口に配置されたドア圧力センサの接点情報を監視し、そのドア圧力の低下等を監視するものである。
【００２５】
さらに、接点情報管理システム１は、ＬＡＮ１７と接続するためのターミナルアダプタ(以下、単にＴＡＰと称する)１８、ＭＧＷ１５及びＢＳ１２を収容接続する構内交換機(以下、単にＰＢＸと称する)１９を有し、ＰＢＸ１９は、ＢＳ１２とのインタフェースを司る基地局インタフェース(以下、単にＤＲＩＦと称する)２１と、ＴＡＰ１８とのインタフェースを司るＬＡＮインタフェース(以下、単にＩＢＬＣＥと称する)２３と、ＭＧＷ１５とのインタフェースを司るＩＢＬＣＥ２４と、これらＤＲＩＦ２１、ＩＢＬＣＥ２３及びＩＢＬＣＥ２４間を通信接続する通話路スイッチ（以下、単にＴＳＷと称する）２５と、様々な情報プログラム等を記憶したメモリ（以下、単にＭＭと称する）２６と、このＰＢＸ１９全体を制御する中央制御装置（以下、単にＣＣと称する）２７とを有している。
【００２６】
図２はＭＧＷ１５内部の概略構成を示すブロック図である。
【００２７】
ＭＧＷ１５は、ＰＨＳ１１からのログイン操作に応じて、ＢＳ１２，ＤＲＩＦ２１、ＴＳＷ２５、ＩＢＬＣＥ２３、ＴＡＰ１８及びＬＡＮ１７を通じてＰＨＳ１１にブラウジング画面を提供すると共に、操作端末１４からのログイン操作に応じて、ＬＡＮ１７、ＴＡＰ１８、ＩＢＬＣＥ２３、ＴＳＷ２５、ＤＲＩＦ２１及びＢＳ１２を通じて操作端末１４にブラウジング画面を提供するブラウジング画面提供機能と、ＩＢＬＣＥ２４、ＴＳＷ２５、ＤＲＩＦ２１及びＢＳ１２を通じてＰＨＳ１１に対して操作端末１４からの文字メッセージを通知する文字メッセージ通知機能と、接点情報管理システム１の各種情報を記憶管理するデータベース機能とを有している。
【００２８】
ＭＧＷ１５は、ＩＢＬＣＥ２４との通信制御インタフェースを司るＩＢＬＣＥ通信制御部３１と、ＬＡＮ１７との通信制御インタフェースを司るＬＡＮ通信制御部３２と、操作端末１４及びＰＨＳ１１間のメッセージ通信の制御動作を司るメッセージ通信制御部３３と、操作端末１４及びＰＨＳ１１にブラウジング画面を提供するブラウジング通信の制御動作を司るブラウジング通信制御部３４と、接点情報管理システム１に関わる各種データを記憶管理する管理データベース３５と、各接点監視部１３を通じて接点情報監視結果を検出する接点情報検出部３６と、管理データベース３５からデータを検索する情報検索部３７と、このＭＧＷ１５全体を制御する制御部３８とを有している。
【００２９】
管理データベース３５は、接点情報に関わる登録内容である接点情報登録データ３５Ａと、接点情報に関わる監視結果内容である接点情報管理データ３５Ｂとを有している。
【００３０】
図３は同管理データベース３５の接点情報登録データ３５Ａのデータ内容を端的に示す説明図である。
【００３１】
図３に示す接点情報登録データ３５Ａは、接点監視部１３の監視対応箇所を識別する設置番号８１と、同接点監視部１３の監視結果、例えば故障内容を示す接点情報内容８２と、同故障発生時の対応遅延を管理するときに用いるアラーム時間の１つである確認迄の確認待ちアラーム時間８３と、当該アラーム時間の１つである指示迄の指示待ちアラーム時間８４と、アラーム時間の１つである作業開示迄の作業開始待ちアラーム時間８５と、アラーム時間の１つである作業完了迄の完了待ちアラーム時間８６と、接点情報内容８２の通知側重要度を示すメッセージ重要レベル８７と、同接点情報内容８２に対応する作業担当者を識別する担当者ＩＤ８８と、各担当者のＰＨＳ１１毎にメッセージを通知するためのメッセージ宛先情報８９と、同ＰＨＳ１１側の同接点情報に関わるメッセージの受信側重要度を示す受信拒否レベル９０とを有している。
【００３２】
メッセージ宛先情報８９は、メッセージをショートメッセージサービス方式で通知する場合と、メッセージを電子メール方式で通知する場合とを有し、例えば内線番号が登録されている場合はショートメッセージサービス方式でメッセージを通知すると共に、例えば電子メールアドレスが登録されている場合は電子メール方式でメッセージを通知するものである。尚、内線番号及びメールアドレス両方が登録されている場合、ショートメッセージサービス方式及び電子メール方式両方でメッセージを通知するものである。
【００３３】
メッセージ重要レベル８７は、接点情報内容に関わる通知側重要度を示し、０〜９の１０段階で表され、“０”から“９”の順にメッセージの重要度が高くなるものとする。
【００３４】
受信拒否レベル９０は、ＰＨＳ１１側で接点情報に関わるメッセージの受信側重要度を示し、０〜９の１０段階で表され、“０”から“９”の順にＰＨＳ１１側の受信拒否のレベルが高くなるものとする。
【００３５】
情報検索部３７は、接点情報検出部３６を通じて接点情報監視結果を検出すると、この接点情報監視結果から箇所識別情報である設置番号８１及び接点内容識別情報である接点情報内容８２を抽出し、これら設置番号８１及び接点情報内容８２に対応した作業担当者ＩＤ８８、メッセージ宛先情報８９、メッセージ重要レベル８７及び受信拒否レベル９０を管理データベース３５から検索するものである。
【００３６】
例えば設置番号０００１番及び接続情報内容“ドア圧力センサ”の接点情報監視結果を検出すると、図３に示す管理データベース３５の接点情報登録データ３５Ａを参照し、この接点情報監視結果から設置番号 ８１及び接点情報内容８２を抽出し、これら抽出した設置番号８１、接点情報内容８２に対応した作業担当者ＩＤ８８及びメッセージ宛先情報８９を管理データベース３５から検索することになる。
【００３７】
また、管理データベース３５では、接点情報監視結果を検出する度に、同作業担当者の作業対応状況等を記憶する接点情報管理データ３５Ｂを記憶管理し、少なくとも発生した接点情報監視結果毎に、業務指示に関わる文字メッセージ送信日時、当該文字メッセージの受信結果情報、文字メッセージの内容情報、業務を受ける作業担当者名と担当者の所属先情報、端末番号（ＰＨＳ番号）情報、作業状況（状態）を示す状況情報、作業への対応可否返信を示す対応可否情報、作業対応者名情報及び作業遅れを管理するアラーム情報を関連付けして記憶管理するものとする。
【００３８】
メッセージ通信制御部３３は、操作端末１４からＰＨＳ１１に通知する文字メッセージを生成するメッセージ通知部５１と、同文字メッセージを電子メール方式で指定のＰＨＳ１１に通知する電子メール通信部５２と、同文字メッセージをショートメッセージサービス方式で指定のＰＨＳ１１に通知するショートメッセージ通信部５３とを有し、前述した管理データベース３５内のメッセージ宛先情報８９に基づき、ＰＨＳ１１毎に電子メール通信部５２又はショートメッセージ通信部５３を選択するものである。
【００３９】
メッセージ通知部５１は、接点情報監視結果に対応した作業担当者のＰＨＳ１１に対して、接点情報監視結果を示す作業メッセージを通知する作業メッセージ通知部５１Ａと、作業メッセージに対して作業対応が可能と応答した作業担当者のＰＨＳ１１に対して、作業対応の実施を指示する指示メッセージを通知する指示メッセージ通知部５１Ｂと、作業中の作業担当者のＰＨＳ１１に対して、作業取消を指示する作業取消メッセージを通知する作業取消メッセージ通知部５１Ｃと、作業中の作業担当者のＰＨＳ１１に対して、作業担当者に作業遅延を報知する作業遅延メッセージを通知する作業遅延メッセージ通知部５１Ｄとを有している。
【００４０】
ブラウジング通信制御部３４は、管理データベース３５の接点情報登録データ３５Ａ及び接点情報管理データ３５Ｂを利用したブラウジング画面をＰＨＳ１１及び操作端末１４に提供するブラウジング画面提供部６１と、ＰＨＳ１１からブラウジング画面上での応答情報を受信する応答情報受信部６２と、この応答情報受信部６２にて受信した応答情報を登録する応答情報登録部６３とを有している。尚、応答情報は、作業メッセージに対する対応可否の応答情報、指示メッセージに対する作業開始可否の応答情報、作業完了の応答情報、作業取消メッセージに対する取消確認の応答情報に相当するものである。
【００４１】
ブラウジング通信制御部３４は、操作端末１４からのログイン操作に応じて同操作端末１４にブラウジング画面を提供すると共に、ＰＨＳ１１からのログイン操作に応じてＰＨＳ１１にブラウジング画面を提供するものである。
【００４２】
制御部３８は、ＭＧＷ１５全体を制御するものであり、接点情報監視結果を複数検出すると、各接点情報監視結果に対応したメッセージ重要レベル８７を管理データベース３５から検索し、これら各メッセージ重要レベル８７を比較するメッセージ重要レベル比較部７１と、接点情報監視結果に対応した作業担当者毎の受信拒否レベル９０を管理データベース３５から検索し、作業担当者毎にメッセージ重要レベル８７と受信拒否レベル９０とを比較する受信拒否レベル比較部７２とを有している。
【００４３】
制御部３８は、メッセージ重要レベル比較部７１の比較結果に基づき、メッセージ通信制御部３３によるメッセージ配信順序を制御するものであり、例えば２個の接点情報監視結果を同時検出すると、これら接点情報監視結果に対応したメッセージ重要レベル８７を検索し、例えば一方のメッセージ重要レベル８７が“３”、他方のメッセージ重要レベル８７が“８”の場合、メッセージ重要レベル８７が高い“８”のメッセージ重要レベル８７の接点情報監視結果に対応した作業担当者のＰＨＳ１１に対して優先的に作業メッセージを通知するものである。尚、メッセージ重要レベル８７が同一の場合、所定順序に基づき、メッセージを通知するものである。
【００４４】
さらに、制御部３８は、受信拒否レベル比較部７２の比較結果に基づき、メッセージ通信制御部３３によるメッセージ通信動作を制御するものであり、例えばメッセージ重要レベル８７が“５”、受信拒否レベル９０が“７”の場合、受信拒否レベル９０の方が高いものと判断し、同作業担当者へのメッセージ通知を禁止し、例えばメッセージ重要レベル８７が“９”、受信拒否レベル９０が“７”の場合は、メッセージ重要レベル８７の方が高いものと判断し、同作業担当者へのメッセージ通知を実行するものである。尚、メッセージ重要レベル８７と受信拒否レベル９０とが同一の場合、作業担当者にメッセージを通知するようにしても良い。
【００４５】
尚、請求項の記載において、端末はＰＨＳ１１、通信装置はＰＢＸ１９、管理装置はＭＧＷ１５、情報記憶手段は管理データベース３５、箇所識別情報は設置番号８１、接点内容識別情報は接点情報内容８２、端末に関わる情報はメッセージ宛先情報８９、検索手段は情報検索部３７、メッセージ通知手段は作業メッセージ通知部５１Ａ、監視手段は応答情報受信部６２、制御手段は制御部３８、通知側重要度はメッセージ重要レベル８７、通知重要度比較手段はメッセージ重要レベル比較部７１、受信側重要度は受信拒否レベル９０、受信重要度比較手段は受信拒否レベル比較部７２に対応するものであるが、具体的な態様構成には本実施の形態に記載した装置又はシステムに限定されるものではなく、本発明の技術思想を逸脱しない範囲で、他の装置構成をとることもできる。
【００４６】
次に、本実施の形態を示す接点情報管理システム１の動作について説明する。
【００４７】
まず、ＭＧＷ１５の管理データベース３５に接点情報登録データ３５Ａ等の各種データを登録する動作について説明する。
【００４８】
ＭＧＷ１５のブラウジング通信制御部３４のブラウジング画面提供部６１は、操作端末１４からのログイン操作を経て、管理データベース３５内のデータ登録動作を指示するコマンドを検出すると、図４に示すデータ登録画面１００のブラウジング画面を操作端末１４に提供するものである。
【００４９】
図４に示すデータ登録画面１００は、図３の接点情報登録データ３５Ａを登録するものであり、操作端末１４のマウスやキーボードを使用することで、管理データベース３５のデータ内容を変更登録することができるものである。
【００５０】
図４に示すデータ登録画面１００は、図３に示す接点情報登録データ３５Ａを設定登録するための画面であり、設置番号１０１毎に、接点情報内容１０２と、作業担当者のＰＨＳ１１に作業メッセージを通知した後、同ＰＨＳ１１からの対応可否の応答情報を受信するまでの確認待ち許容時間を示す確認待ちアラーム時間１０３と、対応可否の応答情報を受信した後、同ＰＨＳ１１へ指示メッセージを通知するまでの指示待ち許容時間を示す指示待ちアラーム時間１０４と、ＰＨＳ１１への指示メッセージに対する作業開始可否の応答情報を待つ許容時間を示す作業開始待ちアラーム時間１０６と、作業開始から作業完了までの通常作業完了時間(作業所要時間)を示す完了待ちアラーム時間１０７とを有しており、さらに加えて、接点情報内容の詳細有無を示す詳細有無１０８と、同接点情報内容の担当者を登録する担当者登録ボタン１０９と、接点情報内容の詳細を登録する詳細ボタン１１０とを有している。
【００５１】
また、データ登録画面１００は、設置番号１０１を入力する設置番号入力欄１０１Ａと、接点情報内容を入力する接点情報内容入力欄１０２Ａと、確認待ちアラーム時間１０３を設定する確認待ちアラーム設定欄１０３Ａと、指示待ちアラーム時間１０４を設定する指示待ちアラーム設定欄１０４Ａと、作業開始待ちアラーム時間１０６を設定する作業開始待ちアラーム設定欄１０６Ａと、完了待ちアラーム時間１０７を設定する完了待ちアラーム設定欄１０７Ａと、詳細有無１０８を設定する詳細有無設定欄１０８Ａと、アラーム発生時又はアラーム未発生時の表示画面上の表示色を設定変更するアラーム表示色変更ボタン群１１１と、設定データを新規登録する新規登録ボタン１２１と、設定データを更新登録する更新登録ボタン１２２と、データを削除する削除ボタン１２３とを有している。
【００５２】
尚、アラーム表示色変更ボタン群１１１は、確認待ちアラーム時間１０３、指示待ちアラーム時間１０４、作業開始待ちアラーム時間１０６及び完了待ちアラーム時間１０７夫々のアラーム発生時の表示色や、アラーム未発生時の表示色を設定変更することができるものである。
【００５３】
さらに担当者登録ボタン１０９をボタン操作することで、接点情報登録データ３５Ａに関わる、設置番号８１、接点情報内容８２、メッセージ重要レベル８７、作業担当者ＩＤ８８、メッセージ宛先情報８９及び受信拒否レベル９０を管理データベース３５に設定登録・更新登録することができるものである。尚、受信拒否レベル９０については、ＰＨＳ１１側ユーザのメッセージ受信拒否の意向を反映させるため、ＰＨＳ１１からのブラウジング操作でも変更登録可能とするものである。
【００５４】
さらに詳細ボタン１１０をボタン操作することで、接点情報内容の詳細を管理データベース３５に登録更新することができるものである。
【００５５】
従って、操作端末１４のユーザは、図４に示すデータ登録画面１００上で管理データベース３５のデータ内容を適宜変更することができる。
【００５６】
このように管理データベース３５のデータ内容を設定登録すると、次に説明する接点情報管理処理を実行することができる。
【００５７】
では、図５及び図６に基づいて接点情報管理処理の動作について説明する。図５及び図６は接点情報管理処理に関わるＭＧＷ１５の制御部３８の処理動作を示すフローチャート、図７及び図８は接点情報管理処理に関わる操作端末１４側に表示されるブラウジング画面を示す説明図である。
【００５８】
図５及び図６の接点情報管理処理は、接点情報監視結果を検出すると、同接点情報監視結果に対応した作業担当者に同接点情報監視結果に関わる文字メッセージを作業担当者のＰＨＳ１１に通知すると共に、作業担当者によるＰＨＳ操作に基づき作業担当者の作業に対する対応状況や現在の作業状況を操作端末１４の表示画面上に表示出力する処理である。
【００５９】
図５においてＭＧＷ１５の制御部３８は、接点情報検出部３６を通じて接点情報監視結果を検出すると(ステップＳ１１)、この接点情報監視結果に関わる設置番号及び接点情報内容を抽出し(ステップＳ１２)、情報検索部３７を通じて、これら設置番号８１及び接点情報内容８２に対応したメッセージ重要レベル８７を管理データベース３５から検索する(ステップＳ１３)。尚、接点情報監視結果には、同接点情報に関わる設置番号及び接点情報内容等が含まれているものとする。
【００６０】
制御部３８は、検索したメッセージ重要レベル８７に基づいてメッセージ重要レベル比較処理を実行する(ステップＳ１４)。尚、このメッセージ重要レベル比較処理とは、ステップＳ１１にて接点情報監視結果を複数検出した場合、メッセージ重要レベル比較部７１を通じて、各接点情報監視結果に対応したメッセージ重要レベル８７を検索し、これらメッセージ重要レベル８７を比較し、この比較結果に基づいて、重要度の高い順にメッセージ通知順序を決定するものである。
【００６１】
制御部３８は、情報検索部３７を通じて、これら設置番号８１及び接点情報内容８２に対応した作業担当者ＩＤ８８、メッセージ宛先情報８９及び受信拒否レベル９０を管理データベース３５から検索し(ステップＳ１５)、各作業担当者ＩＤ８８の受信拒否レベル９０及びメッセージ重要レベル８７に基づき受信拒否レベル比較処理を実行する(ステップＳ１６)。尚、この受信拒否レベル比較処理は、受信拒否レベル比較部７２を通じて、同接点情報監視結果の作業担当者毎に、同作業担当者の受信拒否レベル９０と同接点情報監視結果に関わるメッセージ重要レベル８７とを比較し、この比較結果に基づいてメッセージ配信を制御するものである。
【００６２】
制御部３８は、受信拒否レベル比較部７２の比較結果に基づき、メッセージ重要レベル８７が受信拒否レベル９０よりも高い作業担当者ＩＤ８８があるか否かを判定する(ステップＳ１７)。
【００６３】
制御部３８は、メッセージ重要レベル８７が受信拒否レベル９０よりも高い作業担当者ＩＤ８８がないと判定されると、同接点情報監視結果に関わるメッセージを通知することなく、この処理動作を終了する。
【００６４】
また、制御部３８は、ステップＳ１７にてメッセージ重要レベル８７が受信拒否レベル９０よりも高い作業担当者ＩＤ８８があると判定されると、同作業担当者ＩＤ８８のメッセージ宛先情報８９を管理データベース３５から検索する(ステップＳ１８)。
【００６５】
制御部３８は、同作業担当者のメッセージ宛先情報８９に基づき、メッセージ通知部５１を通じて同接点情報監視結果に関わる作業メッセージを同作業担当者のＰＨＳ１１に通知する(ステップＳ１９)。尚、制御部３８は、メッセージ宛先情報８９に基づき電子メール通信部５２及び／又はショートメッセージ通信部５３を通じて同作業担当者のＰＨＳ１１に同メッセージを通知するものである。同メッセージ内容としては、例えば「注意（発生）０３／１４  １５：２９：１３  １０５号室の入り口のドア圧力センサ。圧力異常。圧力バルブの調整必要。」といったメッセージであり、接点情報内容に対応した接点情報監視結果に関わる、例えば障害発生日時、障害状況及び障害復旧方法等を含むものがあげられる。
【００６６】
制御部３８は、ステップＳ１７にてメッセージ重要レベル８７が受信拒否レベル９０よりも高いと判定された全作業担当者への作業メッセージ通知が完了したか否かを判定する(ステップＳ２０)。
【００６７】
制御部３８は、全作業担当者への作業メッセージ通知が完了したのであれば、同接点情報監視結果に対応した確認待ちアラーム時間に基づき、同ＰＨＳ１１から作業メッセージに対する対応可否の応答情報を待つ作業メッセージ応答監視タイマをスタートする(ステップＳ２１)。
【００６８】
制御部３８は、ブラウジング通信制御部３４の応答情報受信部６２を通じて、作業担当者のＰＨＳ１１から作業メッセージの対応可否の応答情報を受信したか否かを判定する(ステップＳ２２)。
【００６９】
尚、ＰＨＳ１１のユーザ(作業担当者)は、作業メッセージに対する対応可否の応答情報をＭＧＷ１５に通知する場合、ＰＨＳ１１では、図示せぬログイン画面でＭＧＷ１５から認証を受けた後、同接点情報監視結果に関わる現在の作業対応状況及び対応可否ボタンをブラウジング画面上で受けることになる。つまり、作業メッセージの対応可否の応答情報受信の有無は、ＰＨＳ１１のユーザによるブラウジング画面上の対応可否ボタンのボタン操作によるものである。ＰＨＳ１１のユーザは、対応可否応答ボタンの対応可をボタン操作すると、作業メッセージに対して作業対応可の応答情報をＭＧＷ１５に通知することになる。また、ＰＨＳ１１のユーザは、対応可否応答ボタンの対応不可をボタン操作すると、作業メッセージに対して作業対応不可の応答情報をＭＧＷ１５に通知することになる。
【００７０】
制御部３８は、ブラウジング通信制御部３４の応答情報受信部６２を通じて、ステップＳ２２にて作業担当者のＰＨＳ１１から対応可否の応答情報を受信したと判定されると、この対応可否の応答情報に基づき管理データベース３５に記憶中の接点情報管理データ３５Ｂを更新し、この接点情報管理データ３５Ｂに基づき、その作業担当者の対応状況を表示し(ステップＳ２３)、図６に示すＭ１に移行する。
【００７１】
尚、制御部３８は、ブラウジング通信制御部３４のブラウジング画面提供部６１を通じて、作業対応可否の応答情報の内、対応可の応答情報を受信すると、図８に示すメッセージ送信履歴詳細画面２３０上の同作業担当者の対応状況２３５を“対応可”としたブラウジング画面を操作端末１４に提供すると共に、作業状況を“指示待ち”としたブラウジング画面をＰＨＳ１１に提供することになる。尚、操作端末１４のユーザは、メッセージ送信履歴詳細画面２３０上の同作業担当者の対応状況２３５の“対応可”を目視することで、同作業担当者が対応可能であることを認識するこができる。さらに、ＰＨＳ１１のユーザは、ブラウジング画面上の作業状況に基づき、“指示待ち”であることを表示画面上で認識することができる。
【００７２】
この図８に示すメッセージ送信履歴詳細画面２３０は、図７に示すメッセージ送信履歴画面２００上の詳細ボタン２０３をボタン操作することで画面表示されることになる。尚、制御部３８は、ブラウジング通信制御部３４のブラウジング画面提供部６１を通じて、図７に示すメッセージ送信履歴画面２００を操作端末１４に提供することになる。このメッセージ送信履歴画面２００は、接点情報監視結果毎に、同接点情報監視結果に対応する接点情報内容２０１と、接点情報監視結果に関わる作業担当者の作業状況を示す作業状況２０２と、同接点情報監視結果に関わる各作業担当者の詳細情報を表示する詳細ボタン２０３とを有している。
【００７３】
また、制御部３８は、図７に示すメッセージ送信履歴画面２００上の詳細ボタン２０３のボタン操作を検出すると、詳細ボタン２０３に対応した詳細内容を表示した、図８に示すメッセージ送信履歴詳細画面２３０を提供することになる。
【００７４】
図８に示すメッセージ送信履歴詳細画面２３０は、同接点情報監視結果に関わる作業担当者毎に、メッセージ内容２３１と、作業担当者ＩＤ２３２と、作業担当者のＰＨＳ１１の内線番号２３３と、現在の作業状況２３４と、対応状況２３５と、指示ボタン２３６と、取消ボタン２３７とを有している。尚、作業状況２３４は、“確認待ち”、“指示待ち”、“作業中”、“作業完了”等がある。対応状況２３５は、“対応可”と“対応不可”とがある。
【００７５】
また、制御部３８は、作業対応可否の応答情報の内、対応不可の応答情報を受信すると、図８に示すメッセージ送信履歴詳細画面２３０上の同作業担当者の対応状況２３５を“対応不可”としたブラウジング画面を操作端末１４に提供することになる。尚、操作端末１４のユーザは、メッセージ送信履歴詳細画面２３０上の同作業担当者の対応状況２３５の“対応不可”を目視することで、同作業担当者が対応不可であることを認識することができる。
【００７６】
図５において制御部３８は、ブラウジング通信制御部３４の応答情報受信部６２を通じて、ステップＳ２２にて作業担当者のＰＨＳ１１から作業メッセージに対する対応可否の応答情報を受信していなければ、ステップＳ２１にてスタートした作業メッセージ応答監視タイマがタイムアップしたか否かを判定する(ステップＳ２４)。同作業メッセージ応答監視タイマがタイムアップしたのでなければ、ＰＨＳ１１から対応可否の応答情報の受信を監視すべく、ステップＳ２２に移行する。
【００７７】
制御部３８は、ステップＳ２４にて作業メッセージ応答監視タイマがタイムアップしたのであれば、設定リトライタイミングに応じて(ステップＳ２５)、再度、作業メッセージを接点情報監視結果に関わる作業担当者のＰＨＳ１１に通知すべく、ステップＳ１９に移行する。尚、設定リトライタイミングとは、作業メッセージに対するＰＨＳ１１不応答のため、再度、作業メッセージをＰＨＳ１１に通知するための、リトライ回数及びリトライ間隔に相当するものであり、これらリトライ回数及びリトライ間隔は予め設定登録されるものである。また、制御部３８は、ステップＳ２４にて作業メッセージ応答監視タイマがタイムアップすると、アラームを発生すべく、図７に示すメッセージ送信履歴画面２００上の同サービス要求に関わるメッセージ内容２０１の表示部位をアラーム設定色に点滅表示したブラウジング画面を操作端末１４に提供すると共に、同接点情報監視結果に関わる作業状況をアラーム設定色に点滅表示したブラウジング画面をＰＨＳ１１に提供することになる。
【００７８】
図６に示すＭ１において制御部３８は、作業メッセージに対する対応可の応答情報を受信すると、同作業担当者の対応状況を“対応可”としたブラウジング画面を操作端末１４に提供するのであるが、“対応可”の対応状況の中から指示対象の作業担当者を指定する指定操作を検出したか否かを判定する(ステップＳ３１)。尚、指定操作は、図８に示すブラウジング画面上の指定ボタン２３６のボタン操作に対応したものである。
【００７９】
制御部３８は、ステップＳ３１にて同指示対象の作業担当者を指定する指定操作を検出したのであれば、指定した作業担当者のＰＨＳ１１のメッセージ宛先情報に基づき、メッセージ通知制御部５１の指示メッセージ通知部５１Ｂを通じて、同ＰＨＳ１１に対して指示メッセージを通知する(ステップＳ３２)。尚、制御部３８は、同作業担当者のＰＨＳ１１に指示メッセージを通知すると、図８に示すブラウジング画面上の同作業担当者に対する作業状況２３４を“作業開始待ち”にしたブラウジング画面を操作端末１４に提供することになる。操作端末１４のユーザは、ブラウジング画面上の作業状況に基づき、作業開始待ちの作業担当者を認識することができる。
【００８０】
さらに、ＰＨＳ１１は、ＭＧＷ１５を通じて指示メッセージを受信すると、指示メッセージ画面が表示されることになる。尚、ＰＨＳ１１のユーザは、指示メッセージ画面に基づき、作業指示内容を認識することができる。
【００８１】
制御部３８は、ＰＨＳ１１に対して指示メッセージを通知すると、作業開始待ちアラーム時間に基づき指示メッセージに対する作業開始可否の応答情報受信を監視する指示メッセージ応答監視タイマをスタートする(ステップＳ３３)。尚、ＰＨＳ１１のユーザは、指示メッセージに対する作業開始可否をＭＧＷ１５に通知する場合、ＭＧＷ１５の認証を受け、作業開始可否のブラウジング画面をＭＧＷ１５から取得することになる。尚、ＰＨＳ１１のユーザは、ブラウジング画面上の担当者ＩＤ及び作業対応状況に基づいて、他の作業担当者の対応状況及び作業状況を認識することができる。
【００８２】
ＰＨＳ１１は、ブラウジング画面上で、作業開始可否応答ボタンの作業開始をボタン操作すると、指示メッセージに対して作業開始の応答情報をＭＧＷ１５に通知することになる。また、ＰＨＳ１１のユーザは、作業開始可否応答ボタンのキャンセルをボタン操作すると、指示メッセージに対して作業キャンセルの応答情報をＭＧＷ１５に通知することになる。尚、ＰＨＳ１１のユーザは、作業開始の応答情報をＭＧＷ１５に通知すると、作業中を示す作業開始画面を表示することになる。尚、ＰＨＳ１１のユーザは、作業状況に基づき、作業中であることを表示画面上で認識することができる。
【００８３】
図６に示す制御部３８は、ステップＳ３３にて指示メッセージ応答監視タイマをスタートすると、ブラウジング通信制御部３４の応答情報受信部６２を通じて、指示メッセージに対する作業担当者のＰＨＳ１１から作業開始可否の応答情報を受信したか否かを判定する(ステップＳ３４)。
【００８４】
制御部３８は、ＰＨＳ１１から作業開始可否の応答情報を受信したのであれば、この作業開始可否の応答情報に基づき管理データベース３５に記憶中の接点情報管理データ３５Ｂを更新し、この接点情報管理データ３５Ｂに基づき、その作業担当者の作業状況を表示し(ステップＳ３５)、同作業開始可否の応答情報が“作業開始”であるか否かを判定する(ステップＳ３６)。尚、制御部３８は、作業開始の応答情報をＰＨＳ１１から受信すると、図８に示す作業担当者の作業状況２３４を“作業開始待ち”から“作業中”に表示変更したメッセージ送信履歴情報詳細画面２３０を操作端末１４に提供することになる。操作端末１４のユーザは、作業状況２３４に基づいて“作業中”の作業担当者のＰＨＳ１１を認識することができる。
【００８５】
制御部３８は、ステップＳ３６にて作業開始可否の応答情報が“作業開始”であると判定されると、作業完了待ちアラーム時間に基づき、作業所要時間監視タイマをスタートする(ステップＳ３７)。
【００８６】
制御部３８は、作業所要時間監視タイマをスタートすると、“作業中”のＰＨＳ１１から作業完了の応答情報を受信したか否かを判定する(ステップＳ３８)。尚、制御部３８は、作業状況が“作業中”のＰＨＳ１１からのログイン操作を検出すると、ＭＧＷ１５に作業完了の応答情報を通知するための作業完了ボタンを備えた作業完了画面をＰＨＳ１１に提供することになる。ＭＧＷ１５は、作業完了画面上の作業完了ボタンのボタン操作を検出すると、作業完了の応答情報をＰＨＳ１１から受信したことになる。
【００８７】
制御部３８は、ステップＳ３８にて作業中のＰＨＳ１１から作業完了の応答情報を受信したと判定されると、同作業中のＰＨＳ１１に関わる作業状況２３４を“作業中”から“作業完了”にした図８に示すブラウジング画面を操作端末１４に提供すると共に、同ＰＨＳ１１の作業状況を“作業中”から“作業完了”にした作業完了画面をＰＨＳ１１に提供することで(ステップＳ３９)、この処理動作を終了する。尚、操作端末１４のユーザは、図８の作業状況２３４に基づき、同サービス要求に関わる作業担当者が作業完了したことを表示画面上で認識することができる。
【００８８】
制御部３８は、作業完了の応答情報を受信すると、同作業中のＰＨＳ１１に関わる作業状況を“作業中”から“作業完了”に変更表示したブラウジング画面を操作端末１４に提供するようにしたので、操作端末１４のユーザは、“作業完了”の作業担当者を表示画面上で認識することができる。
【００８９】
制御部３８は、ステップＳ３４にて作業開始可否の応答情報を受信したのでなければ、ステップＳ３３にてスタートした指示メッセージ応答監視タイマがタイムアップしたか否かを判定する(ステップＳ４０)。
【００９０】
制御部３８は、指示メッセージ応答監視タイマがタイムアップしたのであれば、設定リトライタイミングに応じて(ステップＳ４１)、再度、指示メッセージを対応可に関わる作業担当者のＰＨＳ１１に通知すべく、ステップＳ３２に移行する。
【００９１】
制御部３８は、ステップＳ３６にて作業開始可否の応答情報が作業開始の応答情報でないと判断されると、ステップＳ３１に移行する。
【００９２】
制御部３８は、ステップＳ３８にて作業完了の応答情報を受信したのでなければ、ステップＳ３７にてスタートした作業所要時間監視タイマがタイムアップしたか否かを判定する(ステップＳ４２)。
【００９３】
制御部３８は、ステップＳ４２にて作業所要時間監視タイマがタイムアップしたのであれば、作業遅延メッセージ通知部５１Ｄを通じて、現在の作業状況が“作業中”のＰＨＳ１１に作業遅延メッセージを通知する(ステップＳ４３)。さらに、制御部３８は、ＰＨＳ１１から作業完了の応答情報を受信したか否かを判定する(ステップＳ４４)。
【００９４】
制御部３８は、ＰＨＳ１１から作業完了の応答情報を受信したのでなければ、同ＰＨＳ１１に作業遅延メッセージを通知すべく、ステップＳ４３に移行する。
【００９５】
制御部３８は、ステップＳ４２にて作業所要時間監視タイマがタイムアップしたのでなければ、作業完了の応答情報を監視すべく、ステップＳ３８に移行する。
【００９６】
本実施の形態によれば、接点情報監視結果を検出すると、同接点情報監視結果の設置番号８１及び接点情報内容８２に対応した作業担当者のＰＨＳ１１に作業メッセージを通知すると共に、同作業メッセージに対するＰＨＳ１１の対応可否の応答状況に基づきＰＨＳ１１の対応可否を識別表示したブラウジング画面(図８参照)を操作端末１４に提供するようにしたので、操作端末１４のユーザは、接点情報に関わるメッセージを一方的に作業担当者のＰＨＳ１１に通知するばかりでなく、作業担当者との通話確認を要さなくても、そのメッセージに対する応答状況に基づき、作業担当者の意思を反映しながら、各作業担当者の対応状況を表示画面上で認識することができる。
【００９７】
本実施の形態によれば、接点情報監視結果に関わる設置番号８１及び接点情報内容８２毎に、メッセージに関わるメッセージ重要レベル８７を記憶管理しておき、複数の接点情報監視結果が複数検出されたとしても、各接点情報監視結果のメッセージ重要レベル８７を比較し、この比較結果に基づき、メッセージ重要レベル８７の高い接点情報監視結果に関わるメッセージから順次通知するようにしたので、接点情報監視結果が複数あったとしても、重要度の高い接点情報監視結果に関わるメッセージを作業担当者に優先的に通知することができる。
【００９８】
本実施の形態によれば、メッセージ重要レベル８７の他に、作業担当者のＰＨＳ１１毎に、メッセージに関わる受信拒否レベル９０を接点情報登録データ３５Ａ内に記憶管理しておき、接点情報監視結果を検出すると、この接点情報監視結果に関わる受信拒否レベル９０及びメッセージ重要レベル８７を比較し、この比較結果に基づいて同接点情報監視結果に関わるメッセージのＰＨＳ１１への通知動作を制御するようにしたので、接点情報監視結果を検出すると、同接点情報監視結果に関わるＰＨＳ１１に対してメッセージを一義的に通知するのではなく、メッセージ重要レベル８７及び受信拒否レベル９０の比較結果に応じて、作業担当者へのメッセージの通知を制御することができる。
【００９９】
本実施の形態によれば、メッセージ重要レベル８７が受信拒否レベル９０よりも低いとの比較結果を得ると、同接点情報監視結果に関わるＰＨＳ１１に対して同メッセージ通知動作を禁止するようにしたので、同接点情報監視結果を検出すると、同接点情報監視結果に関わるＰＨＳ１１に対してメッセージを一義的に通知するのではなく、同メッセージの重要度が受信拒否レベルよりも低い場合には、作業担当者へのメッセージ通知を禁止することができる。
【０１００】
本実施の形態によれば、接点情報監視結果に関わるＰＨＳ１１に同メッセージを電子メール方式で通知する電子メール通信部５２と、同メッセージをショートメッセージ方式で通知するショートメッセージ通信部５３とを有し、作業担当者のＰＨＳ１１毎にメッセージ宛先情報８９を記憶管理しておき、接点情報監視結果を検出すると、同接点情報監視結果に関わるＰＨＳ１１毎のメッセージ宛先情報８９を検索し、このメッセージ宛先情報８９に基づく電子メール方式やショートメッセージ方式で、同ＰＨＳ１１にメッセージを通知するようにしたので、ＰＨＳ１１を携帯する作業担当者は、様々な方式で、同接点情報監視結果に関わるメッセージを取得することができる。
【０１０１】
本実施の形態によれば、対応可能な作業担当者の内、作業を実施させる作業担当者のＰＨＳ１１に対して指示メッセージを通知すると共に、この作業メッセージに対する作業開始可否の応答情報をＰＨＳ１１から受信し、この作業開始可否の応答情報に基づき、作業開始した作業担当者のＰＨＳ１１を識別表示するブラウジング画面を操作端末１４に提供するようにしたので、操作端末１４のユーザは、作業中の作業担当者のＰＨＳ１１を表示画面上で認識することができる。
【０１０２】
本実施の形態によれば、作業中のＰＨＳ１１から作業完了の応答情報を受信すると、この作業完了の応答情報に基づき、作業完了した作業担当者のＰＨＳ１１を識別表示するブラウジング画面を操作端末１４に提供するようにしたので、操作端末１４のユーザは、作業完了した作業担当者のＰＨＳ１１を表示画面上で認識することができる。
【０１０３】
尚、上記実施の形態においては、工場施設内の各種センサの接点情報を管理する接点情報管理システムを例に挙げて説明したが、任意箇所に配置された自動販売機の販売状況を接点情報として管理するシステムや、任意箇所に配置されたエレベータの状態を接点情報として管理するシステムについても適用可能であり、その接点情報監視結果に対応した作業担当者のＰＨＳに同接点情報監視結果に関わるメッセージを通知するようなシステムであれば同様の効果が得られることは言うまでもない。
【産業上の利用可能性】
【０１０４】
本発明の接点情報管理システムは、接点情報監視結果に関わるメッセージを一方的に作業担当者の端末に通知するばかりでなく、作業担当者との通話確認を要さなくても、そのメッセージに対する応答状況に基づき、作業担当者の意思を反映しながら、各作業担当者の対応状況を表示画面上で認識することができるため、例えば工場施設内に配置された各種センサの接点情報を監視し、この監視結果に基づいて作業担当者に対応指示する接点情報管理システムに特に有用である。
【図面の簡単な説明】
【０１０５】
【図１】本発明の実施の形態を示す接点情報管理システム内部の概略構成を示すブロック図である。
【図２】本実施の形態に関わる接点情報管理システムに関わるＭＧＷ内部の概略構成を示すブロック図である。
【図３】本実施の形態に関わるＭＧＷ内部の管理データベースのテーブル内容を端的に示す説明図である。
【図４】本実施の形態に関わる操作端末側のデータ登録画面の一例を示す説明図である。
【図５】本実施の形態に関わる接点情報管理処理のＭＧＷ内部の制御部に関わる処理動作を示すフローチャートである。
【図６】本実施の形態に関わる接点情報管理処理のＭＧＷ内部の制御部に関わる処理動作を示すフローチャートである。
【図７】本実施の形態に関わる操作端末側のメッセージ送信履歴画面の一例を示す説明図である。
【図８】本実施の形態に関わる操作端末側のメッセージ送信履歴詳細画面の一例を示す説明図である。
【符号の説明】
【０１０６】
１  接点情報管理システム
１１  ＰＨＳ(端末)
１５  ＭＧＷ(管理装置)
１９  ＰＢＸ(通信装置)
３５  管理データベース(情報記憶手段)
３７  情報検索部(検索手段)
３８  制御部(制御手段)
５１Ａ  作業メッセージ通知部（メッセージ通知手段）
６２  応答情報受信部（監視手段）
７１  メッセージ重要レベル比較部（通知重要度比較手段）
７２  受信拒否レベル比較部（受信重要度比較手段）
【図１】
2005348225.tif 000003
【図２】
2005348225.tif 000004
【図３】
2005348225.tif 000005
【図４】
2005348225.tif 000006
【図５】
2005348225.tif 000007
【図６】
2005348225.tif 000008
【図７】
2005348225.tif 000009
【図８】
2005348225.tif 000010